(57)【特許請求の範囲】
【請求項１】
水を吐水流として吐出させる吐水具と、該吐水流を受ける鉢とを備えた水洗装置において、
指向性のある光を照射可能であり、前記吐水流が直接当たる受け部から離れて位置し、該受け部から該吐水流内に該光を入射可能な光源を備え、
前記鉢は排水口を有し、前記吐水流は該排水口内に直接吐出され、該鉢の裏側に前記受け部及び前記光源が位置していることを特徴とする水洗装置。
【請求項２】
前記吐水流は前記吐水具から鉛直下方に吐出されている請求項１記載の水洗装置。
【請求項３】
前記受け部は前記光を反射させる反射板である請求項１又は２記載の水洗装置。
【請求項４】
前記受け部は前記光を透過させる透光板である請求項１又は２記載の水洗装置。
【請求項５】
前記透光板は有色のものである請求項４記載の水洗装置。
【請求項６】
前記鉢が前記受け部を一体に有している請求項１乃至５のいずれか１項記載の水洗装置。
【請求項７】
前記受け部には防音又は防振手段が施されている請求項１乃至６のいずれか１項記載の水洗装置。
【請求項８】
前記光源は砲弾型ＬＥＤである請求項１乃至７のいずれか１項記載の水洗装置。
【請求項９】
洋風水洗便器のロータンクに設けられている請求項１乃至８のいずれか１項記載の水洗装置。
【発明の詳細な説明】
【技術分野】
【０００１】
本発明は水洗装置に関する。
【背景技術】
【０００２】
従来、特許文献１の図１、２、４及び特許文献２の図１に示すように、水を吐水流として吐出させる吐水具と、吐水流を受ける鉢とを備えた水洗装置が知られている。
【０００３】
特許文献１の水洗装置では、光源で照射された光を光ファイバで導き、光ファイバの一端から照射された光を反射部で反射して吐水口付近を照明している。また、特許文献２の水洗装置では、光源からの光を直接照射して吐水口付近を照明している。そのため、これらの水洗装置によれば、使用者の手元を明るく照らすことができるとともに、室内のイルミネーションともなる。
【０００４】
【特許文献１】特開２０００−３３６７０９号公報
【特許文献２】特開２００４−１０８０８９号公報
【発明の開示】
【発明が解決しようとする課題】
【０００５】
しかし、上記従来の水洗装置では、吐水流を吐水の外部より照射していることから、照射された光の大部分が吐水流の表面で乱反射される。このため、照射された光の大部分が吐水流に沿って進むことができず、吐水流のごく一部が照明されるだけである。また、吐水流の表面で乱反射された光が吐水口付近でさらに乱反射を繰り返すため、不必要な部分まで照明されることとなり、ぼやけたような、いわゆる切れの悪い照明になってしまう。こうして、従来の水洗装置では、せっかくのイルミネーションの効果が減殺されてしまう。
【０００６】
また、上記従来の水洗装置では、吐水口付近を照明することから、光ファイバや光源を吐水口付近に設置する必要がある。このため、水洗装置の外観を損なわないようにするためには、光ファイバや光源の配置及び配線等に制約が生じ、設計の自由度が低下する上、組付けも困難である。
【０００７】
本発明は、上記従来の実情に鑑みてなされたものであって、イルミネーションの効果を際立たせることができ、かつ設計の自由度が向上するとともに組付けが容易な水洗装置を提供することを解決すべき課題としている。
【課題を解決するための手段】
【０００８】
本発明の水洗装置は、水を吐水流として吐出させる吐水具と、該吐水流を受ける鉢とを備えた水洗装置において、
指向性のある光を照射可能であり、前記吐水流が直接当たる受け部から離れて位置し、該受け部から該吐水流内に該光を入射可能な光源を備え、
前記鉢は排水口を有し、前記吐水流は該排水口内に直接吐出され、該鉢の裏側に前記受け部及び前記光源が位置していることを特徴とする。
【０００９】
本発明の水洗装置では、吐水流が直接当たる受け部から離れて位置する光源により受け部から吐水流内に指向性のある光を入射する。このため、水流の光導波路効果により、光が水中を全反射して上方に伝播しつつ、少しづつ拡散されて水中から漏れ出てくる。こうして、光が不必要な部分を照明することが少なくなるため、吐水流自体が発光するように見え、くっきりした、いわゆる切れのよい照明になる。特に、暗闇の中では、吐水流が綺麗な光の柱として視認され、驚きを演出する効果が大きい。また、この水洗装置では、光源を吐水口付近に設置する必要がないため、光源の配置や配線等の設計の自由度が向上する上、組付けも容易である。
【００１０】
したがって、本発明の水洗装置によれば、イルミネーションの効果を際立たせることができ、かつ設計の自由度が向上するとともに組付けが容易である。
【００１１】
なお、光源としては、高輝度ＬＥＤ、レーザーダイオード（ＬＤ）等を採用することができる。また、三原色の光源を採用すれば、任意の色の光を照射することができる。
【００１２】
本発明の水洗装置では、鉢は排水口を有し、吐水流は排水口内に直接吐出され、鉢の裏側に受け部及び光源が位置している。この場合、吐水流が排水口内に直接吐出され、鉢の裏側の受け部に当たることから、吐水流は鉢面に当たることがない。また、人は排水口より上部の吐水流を見ることになるため、必要部分のみを見ることとなる。このため、光源から照射された光は柱状の吐水流を照明することとなり、くっきりした、いわゆる切れのよい照明になる。また、吐水流が排水口から立ち上る綺麗な光の柱として視認され、よりイルミネーションの効果を際立たせることができる。
【００１３】
また、吐水流は吐水具から鉛直下方に吐出されていることが好ましい。こうであれば、水圧が変化しても吐水角度が変わることがなく、吐水流が排水口内に確実に吐出されるため、くっきりした、いわゆる切れのよい照明になるとともに、よりイルミネーションの効果を際立たせることができる。
【００１４】
さらに、受け部は光を反射させる反射板とすることができる。こうであれば、吐水流と光源とがともに反射板の表面側に位置する場合、本発明を具体化可能である。
【００１５】
また、受け部は光を透過させる透光板とすることもできる。こうであれば、吐水流が反射板の表面側、光源が反射板の裏面側に位置する場合、本発明を具体化可能である。この際、透光板を有色のものとすれば、吐水流が光源の色と異なる色で発光するように見え、イルミネーションとしての幅を広げることができる。
【００１６】
さらに、鉢が受け部を一体に有していることが好ましい。これにより、別部品が不要となり、製造コストが削減される。
【００１７】
また、受け部には防音又は防振手段が施されていることが好ましい。これにより、吐水時の音を小さくすることができるとともに、振動を抑制することができる。
【００１８】
さらに、光源は砲弾型ＬＥＤであることが好ましい。小型である上、省電力だからである。
【００１９】
本発明の水洗装置は、特に洋風水洗便器のロータンクに設けることにより、その効果を十分に発揮することができる。
【発明を実施するための最良の形態】
【００２０】
以下、本発明を具体化した実施例１〜３を図面を参照しつつ説明する。
【実施例１】
【００２１】
図１に示すように、実施例１の水洗装置１０は洋風水洗便器１のロータンク６に設けられている。洋風水洗式便器１は、陶磁器製の洋風便器本体２、便座３、便蓋４及びタンクカバー５を備えている。タンクカバー５は、ロータンク６を内蔵し、水洗装置１０を上部に配置している。
【００２２】
水洗装置１０は、図２及び図３に示すように、本体１１と吐水具１５とを備えている。本体１１はタンクカバー５の上部に嵌着され、本体１１には吐水流Ｗを受ける鉢１２が一体として凹設されている。鉢１２の底部には、吐水流Ｗを鉢１２から排出するとともにロータンク６内に導く排水口１２ａが設けられている。また、本体１１の後方には、水を吐水流Ｗとして吐水口１５ａから吐出させる吐水具１５が固定されている。吐水口１５ａは吐水流Ｗが鉛直下方に吐出されるようにされており、この吐水流Ｗは排水口１２ａ内に直接吐出されるようになっている。
【００２３】
また、タンクカバー５には支持板５ａが一体として設けられており、支持板５ａには、防音及び防振手段としてのポリウレタンフォーム等のクッション１９を介して金属フィルムシールからなる反射板１７が貼着されている。この反射板１７は、吐水口１５ａから吐出された吐水流Ｗが直接当たる受け部をなしている。また、反射板１７から離れた位置に、光源としての砲弾型ＬＥＤ１６が設けられている。ＬＥＤ１６は指向性のある光を照射可能であり、この光は反射板１７の表面で反射されて吐水流Ｗ内に入射される。こうして、この水洗装置１０では、鉢１２の裏側に反射板１７及びＬＥＤ１６が位置し、吐水流ＷとＬＥＤ１６とがともに反射板１７の表面側に位置する関係になっている。
【００２４】
以上の構成をした水洗装置１０では、吐水口１５ａから鉛直下方に吐出された吐水流Ｗは、排水口１２ａを通過して、反射板１７の表面に当たった後、ロータンク６内に導かれる。また、ＬＥＤ１６から照射された光は、矢印で示すように、反射板１７の表面で反射された後、吐水流Ｗに沿って上方に進む。この際、水流の光導波路効果により、光が吐水流Ｗ中を全反射して上方に伝播しつつ、少しづつ拡散されて吐水流Ｗから漏れ出てくる。すなわち、反射板１７の表面で反射された光は、大部分が水流と大気との境界面で全反射されるため、吐水流Ｗに沿って上方に進むことになる。そして、吐水流Ｗ中に混入した空気等のため、その光はあらゆる方向に拡散されつつ少しづつ吐水流Ｗから漏れ出てくることになる。こうして、光が不必要な部分を照明することが少なくなるため、吐水流Ｗ自体が発光するように見え、くっきりした、いわゆる切れのよい照明になる。
【００２５】
また、この水洗装置１０では、吐水流Ｗは排水口１２ａ内に直接吐出され、鉢１２の裏側に位置する反射板１７に当たることから、吐水流Ｗは鉢１２に当たることがない。また、人は排水口１２ａより上部の吐水流Ｗを見ることになるため、必要部分のみを見ることとなる。このため、ＬＥＤ１６から照射された光は柱状の吐水流Ｗを照明することとなり、くっきりした、いわゆる切れのよい照明になる。特に、暗闇の中では、吐水流Ｗが排水口１２ａから立ち上る綺麗な光の柱として視認され、驚きを演出する効果が大きい。さらに、この水洗装置１０では、吐水流Ｗは吐水具１５の吐水口１５ａから鉛直下方に吐出されているため、水圧が変化しても吐水角度が変わることがなく、吐水流Ｗが排水口１２ａ内に確実に吐出されるため、よりくっきりした、いわゆる切れのよい照明になるとともに、よりイルミネーションの効果を際立たせることができる。
【００２６】
また、この水洗装置１０では、ＬＥＤ１６を吐水口１５ａ付近に設置する必要がないため、ＬＥＤ１６の配置や配線等の設計の自由度が向上する上、組付けも容易である。
【００２７】
したがって、実施例１の水洗装置１０によれば、イルミネーションの効果を際立たせることができ、かつ設計の自由度が向上するとともに組付けが容易である。
【００２８】
また、この水洗装置１０では、鉢１２の裏側にＬＥＤ１６が位置していることから、ＬＥＤ１６や配線等を外部から隠蔽することができ、水洗装置１０の外観を損なうことがない。また、ＬＥＤ１６に砲弾型ＬＥＤを用いているため、小型で消費電力を少なくできる。
【実施例２】
【００２９】
図４に示す実施例２の水洗装置２０も、実施例１と同様、図１に示す洋風水洗便器１のロータンク６に設けられる。以下、実施例１の水洗装置１０と異なる部分のみを説明する。
【００３０】
図４に示すように、本体２１には鉢２２が一体として凹設され、鉢２２の底部には排水口２２ａが設けられているとともに、支持板２２ｂが一体として設けられている。この支持板２２ｂにはクッション１９及び反射板１７が固定されている。その他の構成は実施例１と同様である。
【００３１】
この水洗装置２０では、鉢２２にはクッション１９及び反射板１７が固定された支持板２２ｂが一体として設けられているため、別部品が不要となり、製造コストが削減される。その他の作用・効果は実施例１と同様である。
【実施例３】
【００３２】
図５及び図６に示す実施例３の水洗装置３０も、実施例１と同様、図１に示す洋風水洗便器１のロータンク６に設けられる。以下、実施例１の水洗装置１０と異なる部分のみを説明する。
【００３３】
図５及び図６に示すように、本体３１には鉢３２が一体として凹設され、鉢３２の底部には排水口３２ａが設けられているとともに、支持板３２ｂが一体として設けられている。この支持板３２ｂには、光を透過させる有色透明の透光板１８が固定されている。また、透光板１８の裏面側には、光源としての砲弾型ＬＥＤ１６が設けられている。こうして、この水洗装置３０では、鉢３２の裏側に透光板１８及びＬＥＤ１６が位置し、吐水流Ｗが透光板１８の表面側、ＬＥＤ１６が透光板１８の裏面側に位置する関係になっている。その他の構成は実施例１と同様である。
【００３４】
以上の構成をした水洗装置３０では、吐水口１５ａから鉛直下方に吐出された吐水流Ｗは、排水口３２ａを通過して、透光板１８の表面に当たった後、ロータンク６内に導かれる。また、ＬＥＤ１６から照射された光は、図６の矢印で示すように、透光板１８を通過した後、吐水流Ｗに沿って上方に進む。
【００３５】
この水洗装置３０では、鉢３２には透光板１８が固定された支持板３２ｂが一体として設けられているため、別部品が不要となり、製造コストが削減される。また、有色透明の透光板１８を用いていることから、吐水流ＷがＬＥＤ１６の色と異なる色で発光するように見え、イルミネーションとしての幅を広げることができる。その他の作用・効果は実施例１と同様である。
【００３６】
以上において、本発明を実施例１〜３に即して説明したが、本発明は上記実施例１〜３に制限されるものではなく、その趣旨を逸脱しない範囲で適宜変更して適用できることはいうまでもない。
【産業上の利用可能性】
【００３７】
本発明は洋風水洗便器等に利用可能である。
【図面の簡単な説明】
【００３８】
【図１】実施例１〜３に係り、洋風水洗式便器の斜視図である。
【図２】実施例１の水洗装置の断面図である。
【図３】実施例１の水洗装置の拡大断面図である。
【図４】実施例２の水洗装置の断面図である。
【図５】実施例３の水洗装置の断面図である。
【図６】実施例３の水洗装置の拡大断面図である。
【符号の説明】
【００３９】
１０、２０、３０…水洗装置
１５…吐水具
１２、２２、３２…鉢
１２ａ、２２ａ、３２ａ…排水口
１７、１８…受け部（１７…反射板、１８…透光板）
１６…光源（ＬＥＤ）
１９…防音及び防振手段（クッション）
Ｗ…吐水流
【図１】
0004508967.tif 000002
【図２】
0004508967.tif 000003
【図３】
0004508967.tif 000004
【図４】
0004508967.tif 000005
【図５】
0004508967.tif 000006
【図６】
0004508967.tif 000007